(57)【要約】【課題】  液晶封止領域が上下方向または水平方向の長さが一定ではない液晶パネルの製造時において、貼付ローラーを用いたシート類の貼り付け工程によるシール破壊を防ぐ。【解決手段】  液晶封止領域を、その領域の中央部を占める第一の区域と、該第一の区域に隣接する第二の区域からなる複数の区域に分割し、前記第一の区域と第二の区域内に設置された前記柱状スペーサは、その高さまたは配置密度が区域毎に異なるように配置される。【選択図】  図１
2020204691.tif 000002
【特許請求の範囲】
【請求項１】
互いに対向する二つの基板と、前記基板間に設けられたシール材と、前記シール材に囲まれた封止領域に封入された液晶材料と、前記封止領域に配置された柱状スペーサとを備えた液晶パネルにおいて、
前記封止領域は上下方向または水平方向の長さが一定ではなく、
前記封止領域は、該領域の中央部を占める第一の区域と、該第一の区域に隣接する第二の区域からなる複数の区域に分割され、
前記第一の区域と第二の区域内に設置された前記柱状スペーサは、その高さまたは配置密度が区域毎に異なることを特徴とする液晶パネル。
【請求項２】
前記第一の区域は、矩形状であり、前記第二の区域は、三角形状であることを特徴とする請求項１に記載の液晶パネル。
【請求項３】
前記第一の区域は、矩形状であり、前記第二の区域は、一部を湾曲状とする形状であることを特徴とする請求項１に記載の液晶パネル。
【請求項４】
前記第二の区域内における前記柱状スペーサの配置密度は、前記第一の区域の前記柱状スペーサの配置密度より小さいことを特徴とする請求項１から３のいずれか一項に記載の液晶パネル。
【請求項５】
前記第二の区域内における前記柱状スペーサの高さは、前記第一の区域の前記柱状スペーサの高さより低いことを特徴とする請求項１から３のいずれか一項に記載の液晶パネル。
【請求項６】
請求項１から５に記載の液晶パネルを用いたことを特徴とする液晶表示装置。
【発明の詳細な説明】
【技術分野】
【０００１】
この発明は、液晶表示装置の使用する液晶パネルに関するものであり、特にその外形が矩形状ではない液晶パネルに好適に採用可能である。
【背景技術】
【０００２】
液晶表示装置においては、二枚の基板間に液晶が挟持され、その基板間に電圧を印加することによって液晶分子の配列形態を変えて表示を行う液晶パネルが主要な構成の１つである。この液晶パネルの２枚の基板の間には、液晶を封入して漏れを防止するためのシールや２枚の基板間を一定に保つためのスペーサが配置される。さらに２枚の基板はバックライトからの入射光や液晶パネルを透過する光を偏光制御するための偏光板を備える。また高付加価値製品として液晶表示素子にタッチパネルやガラス板を透明粘着シートで接着させた液晶表示装置も存在する。
【０００３】
偏光板や透明粘着シートはシート表面に粘着剤層を有する。一般的に液晶パネルに偏光板や透明粘着シートを貼りつける際には、シートをパネル表面上に位置合わせしたうえで、シートの上から貼付ローラーを当て、全面に均等に圧力を加えながらなぞらせることで、シートをパネルに密着させ、接着強度を確保するとともに、気泡や表示ムラなどの無い均質性の高い表示面を実現する。（特許文献１）
【０００４】
一方、液晶表示装置の使用温度範囲が広がってきていることから、高温時に発生する局所的な表示ムラや低温時に衝撃を受けた際に発生する発泡不良が問題となる。この問題は、異なる２種類の柱状スペーサを混在させたデュアルスペーサ構造を用いることで解決させる場合が増えている。（特許文献２）
【０００５】
さらに近年ではデザイン性、省スペース化などの観点から、矩形以外の形状を成す異形表示装置が周知である。（特許文献３）
【先行技術文献】
【特許文献】
【０００６】
【特許文献１】特開２００４‐３２５５３９号公報
【特許文献２】国際公開２０１１／１２９１９１号公報
【特許文献３】特開２０１８‐０３１８９８号公報
【発明の概要】
【発明が解決しようとする課題】
【０００７】
上記のような表示面が矩形以外の形状を成す液晶表示装置を製造する際には、偏光板や粘着シート等のシート類を表面に貼付ローラーを用いて貼り付ける際、貼付ローラーによって加えられる圧力によって、パネル内部の液晶層のギャップが局所的に小さくなり、ローラーの進行方向に液晶が押し寄せられる力が加わる。
【０００８】
例えば貼付ローラーの進行方向に向かってパネルの幅が小さくなるような形状においては、液晶量が液晶パネル端に集中し増加することから、表示領域周辺の対向基板同士を接着するシールの部分が内圧に耐えられず、シール自体が破壊されたり、シールと基板との密着界面で剥がれを引き起こし、液晶が液晶パネル外部に漏れてしまう不具合が発生していた。その対策としてローラーの押圧条件を弱めて貼りつけていた。
【０００９】
一方でローラーの押圧条件を弱めて貼り付けた際に製造バラつきよって押圧が足りない場合があり、本来ローラーの圧力によって排除されるはずであったパネルとシート間の気泡が残存してしまうことが問題となった。
【００１０】
本発明はこれらの課題を解消するべく、液晶の偏在集中を防止することで、シート貼りつけ工程での液晶漏れを防止することができる。また貼付ローラーの押圧を適正化することができ、気泡などの不具合がなくなり、製造ばらつきを押さえることを目的とする。
【課題を解決するための手段】
【００１１】
この発明に係る液晶パネルは、互いに対向する二つの基板と、前記基板間に設けられたシール材と、前記シール材に囲まれた封止領域に封入された液晶材料と、前記封止領域に配置された柱状スペーサとを備えた液晶パネルであって、前記封止領域は上下方向または水平方向の長さが一定ではなく、前記封止領域は、該領域の中央部を占める第一の区域と、該第一の区域に隣接する第二の区域からなる複数の区域に分割され、前記第一の区域と第二の区域内に設置された前記柱状スペーサは、その高さまたは配置密度が区域毎に異なることを特徴とする。
【発明の効果】
【００１２】
液晶の封止領域内に設置された前記柱状スペーサを、その高さまたは配置密度を区域毎に異ならせることにより、貼付ローラーを用いたシート類の貼り付け工程において、シール破壊を防ぐことができる。
【図面の簡単な説明】
【００１３】
【図１】実施の形態１〜３に係る液晶パネルの構成の一例を示す上面図である。
【図２】図１に記載の矢視Ａ−Ａにおける断面図である。
【図３】実施の形態１に係る液晶パネルの製造工程の一部である偏光板貼り付け工程を示す斜視図である。
【図４】図３に記載の矢視Ｂ−Ｂにおける断面図である。
【図５】実施の形態１における領域Ｒ１での柱状スペーサの配置を示す図である。
【図６】実施の形態１における領域Ｒ２での柱状スペーサの配置を示す図である。
【図７】実施の形態１に係る液晶表示パネルの変形例の構成を示す概略図である。
【図８】実施の形態２に係る液晶表示パネルの構成を示す概略図である。
【図９】実施の形態２に係る液晶パネルのサブスペーサ密度と表示領域の関係を表す図である。
【発明を実施するための形態】
【００１４】
以下、本発明の実施の形態について図面に基づいて説明する。
【００１５】
実施の形態１．
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。
【００１６】
また、以下に示される説明では、同様の構成要素には同じ符号を付して図示し、それらの名称と機能とについても同様のものとする。したがって、それらについての詳細な説明を、重複を避けるために省略する場合がある。
【００１７】
＜異形液晶パネルの構成＞
図１は、本発明の実施の形態１に係る液晶表示パネルの構成を示す上面図であり、図２は、図１に記載の矢視Ａ−Ａにおける断面図である。
【００１８】
ここでは、異形液晶パネルの一例として、液晶パネル１０がＴＦＴ（Thin Film Transistor）をスイッチング素子として用いて動作する液晶表示装置であるとして説明する。図１に示したように、本実施の形態１に係る液晶パネル１０は、一般的な外形形状である矩形形状ではなく、台形形状である。このように、台形、円形、楕円形など矩形形状以外の外形を持つ液晶パネルを、異形形状と称する。
【００１９】
また、液晶パネル１０は、ＴＦＴが配列して配置されるＴＦＴアレイ基板１１（以下、「アレイ基板１１」とも呼ぶ）と、アレイ基板１１に対向して配置されるカラーフィルタ基板１２（以下、「対向基板１２」とも呼ぶ）とを備える。
【００２０】
アレイ基板１１と対向基板１２とは、表示領域を囲うように所定の幅（例えば３μｍ）を持って両基板間に配置される樹脂からなるシール材１３によって互いに対向するように貼り合わされている。このように、所定の幅を持ってシール材１３が塗布された領域をシール領域と称する。アレイ基板１１と対向基板１２との間におけるシール材１３によって囲まれた領域には液晶１４が封止されている（この領域を液晶封止領域と称する）。液晶１４は、ポジ型またはネガ型の液晶どちらでもよいが、セルギャップ（つまり液晶層の厚み）が例えば２μｍ〜５μｍになるように充填されている。
【００２１】
アレイ基板１１は、透明基板であるガラス基板１１０を備える。また、アレイ基板１１は、表示領域におけるガラス基板１１０の液晶１４側の面上に、配向膜１１１、画素電極１１２、ＴＦＴおよび絶縁膜を備える。
【００２２】
また、アレイ基板１１は、ガラス基板１１０における液晶１４とは反対側の面上に偏光板１５を有している。
【００２３】
対向基板１２は、透明基板であるガラス基板１２０を備える。また、対向基板１２は、ガラス基板１２０における液晶１４側の面上に、配向膜１２１、共通電極１２３、カラーフィルタおよび遮光層（「ブラックマトリクス：ＢＭ」とも呼ばれる）を備える（非図示）。
【００２４】
配向膜１２１はその上に位置する液晶１４を配向させる。共通電極１２３は、配向膜１２１の下部（つまり、ガラス基板１２０側の部分）に配置され、アレイ基板１１上の画素電極１１２との間に電界を生じさせ液晶１４を駆動する。カラーフィルタおよび遮光層（非図示）は、共通電極１２３の下側（つまり、ガラス基板１２０側）に設けられる。また、対向基板１２は、ガラス基板１２０における液晶１４とは反対側の面上に偏光板１５を有している。
【００２５】
偏光板１５は、例えば一般的なヨウ素系の偏光板であって、吸収軸が上下で直交するように配置される。液晶１４の配向方向は、液晶パネル１０が横電界方式（具体的には、一例として、ＦＦＳ（Fringe Field Switching）方式）の液晶パネルである場合には、どちらか一方の偏光板の吸収軸方向と同一で、液晶１４はホモジニアス配向とする。
【００２６】
アレイ基板１１と対向基板１２との間には、両基板間の距離を一定の距離に保持する複数の柱状スペーサが配置されている。柱状スペーサについては後で詳細に説明する。
【００２７】
なお、上記で説明した液晶パネル１０の構成は一例であり他の構成であっても良い。液晶パネル１０の動作モードはＴＮ（Twisted Nematic）モードを想定した例であったが、液晶パネル１０は、対向基板１２に設けた共通電極をアレイ基板１１側に設置して、画素電極との間に横方向に液晶１４に対して電界をかけるＦＦＳ（Fringe Field Switching）方式などの横電界方式を用いた液晶パネルであっても良い。
【００２８】
また、シール材１３において、液晶１４を注入する注入口の図示を省略しているが、液晶１４の注入方法として真空中で注入口より注入する真空注入方式を用いる場合には、注入口および注入口を封止する封止剤が形成される。また、液晶１４を液滴状でアレイ基板１１または対向基板１２上に配置して真空中でこれらの基板を貼り合わせて注入する滴下注入方式（「ＯＤＦ（One Drop Fill）方式」とも呼ばれる）を用いる場合には、注入口及び封止剤は省略可能である。
【００２９】
＜柱状スペーサについて＞
以下では、液晶パネル１０が備える柱状スペーサについて詳細に説明する。本実施の形態における液晶パネル１０では、例えば、ガラス基板１１０，１２０それぞれの厚みは０．１〜０．７ｍｍである。また、液晶パネル１０は、例えば、図１に示されるように、上辺と下辺の長さが異なる台形形状となっている。
【００３０】
図２に示されるように、アレイ基板１１と対向基板１２との間には、複数の柱状スペーサ（「ＰＳ（ポストスペーサ）」とも呼ばれる）が配設されている。
【００３１】
柱状スペーサは、アレイ基板１１または対向基板１２上に樹脂をパターニングして形成される柱状のスペーサである。本実施の形態では、アレイ基板１１上に、高さが異なる２種類の柱状スペーサ２０、２１が、領域に応じて所定の配置で所定の面積密度に設けられるデュアルスペーサ構造により配置される。ここで、面積密度とは、単位面積あたりのスペーサが占める面積を表し、以降、単に「密度」と称す。スペーサの密度は、通常、上面視で円形に設けられるスペーサの個々のサイズ（つまり円形の径）を異ならせて配置することで調整することも可能である。しかしながら、スペーサの径は、幾つかの制約事項により所定値に決まっている場合が多いことから、現実的には、以下で示すとおり、サブ画素数あたりに配置されるスペーサの個数（つまり、サブ画素数におけるスペーサが配置される画素数の比率）を変えることにより、スペーサの密度を調整すると良い。ここで、「サブ画素」とは、液晶パネルの透過率を制御できる最少の区画であって、表示領域に配列されるＲ（赤）、Ｇ（緑）およびＢ（青）の３色の画素のそれぞれを言う。ＲＧＢの３色を一組として一つの画素（絵素とも言う）を構成する。
【００３２】
なお、このデュアルスペーサ構造は、より詳細には、相対的に高さが高い（膜厚が厚い、長いともいえる）柱状スペーサ２０（以下、メインスペーサ２０とも呼ぶ）と、相対的に高さが低い柱状スペーサ２１（以下、「サブスペーサ２１」とも呼ぶ）とからなるものである。メインスペーサ２０は、絶えずアレイ基板１１および対向基板１２の両者に当接して両基板間の間隔すなわち液晶セルのギャップを安定させるものであり、２〜５μｍの高さに設定されるのが一般的である。サブスペーサ２１は、外力などが印加されない通常時にはアレイ基板１１および対向基板１２の一方のみに当接し、外力などが印加されることにより、メインスペーサ２０が弾性変形して両基板間が近接した場合に、両基板に当接して両基板間の間隔を保持する。
【００３３】
＜偏光板の貼り付け工程＞
図３は、本発明の実施の形態１に係る台形形状の液晶パネル１０の製造工程の一部である偏光板貼り付け工程を示す斜視図である。また、この図に示された矢視Ｂ−Ｂにおける断面図を図４に示す。
【００３４】
図３に示したように、液晶パネル１０を製造する際の偏光板貼り付け工程において、偏光板１５や粘着シート（非図示）等のシート類をガラス基板１１０，１２０の表面に貼付ローラー１６を用いて貼り付けることが一般的である。偏光板１５をガラス基板１１０，１２０に密着させるためには、ガラス基板１１０，１２０に対して位置合わせした偏光板１５の上から貼付ローラー１６を偏光板１５に対して所定の圧力を加えながら基板端から表示画面の中心部、さらには反対側の端部に向かって水平方向に走査する作業（図中で貼付ローラー進行方向と記載）を実施している。
【００３５】
＜比較例＞
図１に示したように表示面が矩形以外の形状、例えば台形形状の場合で、かつアレイ基板１１上に、高さが異なる２種類の柱状スペーサ２０、２１を、表示領域内で、領域に関わらず一定の配置で均一な面積密度に設けられるデュアルスペーサ構造により配置された場合を考える。この場合、図３で図示したように、偏光板１５の上から貼付ローラー１６を偏光板１５に対して所定の圧力を加えながら基板端から中心部、さらには反対側の端部に向かって走査する作業（図中で貼付ローラー進行方向と記載）を行うと、貼付ローラー１６によって加えられる圧力によって、液晶パネル１０内部の液晶層のギャップが局所的に小さくなり、貼付ローラー１６の進行方向に液晶１４が押し寄せられる力が加わる。
【００３６】
例えば、図１で図示した台形形状の場合であれは、貼付ローラー１６の進行方向に向かって液晶パネル１０のシール材１３の上下間隔が小さくなるような形状であるので、液晶量がパネル端に集中し増加することから、表示領域周辺のアレイ基板１１と対向基板１２間を接着するシール材１３の一部分が内圧に耐えられず、シール材１３自体がシール破壊１７されたり、シール材１３と両基板との密着界面で剥がれ（非図示）を引き起こし、液晶１４が液晶パネル１０外部に漏れてしまう不具合が発生していた。その対策として貼付ローラー１６の押圧条件を弱めて貼り付けたり、貼付ローラー１６の移動速度を遅くしたりして対応している。
【００３７】
このように貼付ローラー１６の押圧条件を弱めて貼り付けたり、移動速度を遅くした際には、製造バラつきよって押圧が足りない場合があり、本来貼付ローラー１６の圧力によって排除されるはずであったパネルとシート間の気泡が残存してしまうことが問題となった。
【００３８】
＜実施の形態１における液晶パネルの構造＞
図１に示されたような台形形状の液晶パネル１０の表示領域は、便宜的に表示領域Ｒ１と、その左右に位置する表示領域Ｒ２に分割することができる。表示領域Ｒ１は中央部の縦方向の画素数が一定の領域であり、その結果封止領域の上下の間隔が一定である（第一の区域）。また、表示領域Ｒ２は画素数が表示領域中心から離れるに従って減少する領域であり、その結果封止領域の上下の間隔が表示中心から左または右方向に向かうと減少する直角三角形の形状となる（第二の区域）。また、表示領域Ｒ１とＲ２の画素ピッチは縦１３５μｍ×横１３５μｍと、両領域とも同一であり、ＲＧＢ縦ストライプ配置を採用している。
【００３９】
次に、表示領域Ｒ１、Ｒ２におけるメインスペーサ２０とサブスペーサ２１とＲＧＢ画素との関係、それぞれの形状、密度について、図を用いて詳細を説明する。図５，６は、それぞれ、図１に示される表示領域Ｒ１，Ｒ２におけるメインスペーサ２０およびサブスペーサ２１の配置の一例を示す図である。図５，６では、表示領域に配列されるＲ（赤）、Ｇ（緑）およびＢ（青）の３色のサブ画素を一組とする複数の画素を示している。
【００４０】
まず、表示領域Ｒ１においては、メインスペーサ２０は、図５に示したように、３２画素あたり１個の割合で、Ｒ画素に配置され、その密度は０．０３％である。また、柱径１５μｍ、高さ３．０μｍの形状を持つ。
【００４１】
さらに、図５に示したように、サブスペーサ２１は、３２画素あたり６３個の割合で配置され、具体的には、メインスペーサ２０を配置したサブ画素を除くＲ画素とＢ画素とに配置され、密度は２．４５％である。また、柱経１７μｍ、高さ２．５μｍの形状を持つ。
【００４２】
一方、表示領域Ｒ２においては、メインスペーサ２０は、図６に示したように、３２画素あたり１個の割合で、Ｒ画素に配置され、その密度は０．０３％である。また、柱径１５μｍ、高さ３．０μｍの形状を持つ。（表示領域Ｒ１と同一条件である。）
【００４３】
サブスペーサ２１は、図６に示したように、３２画素あたり３２個の割合で配置され、具体的には、Ｂ画素のみに配置され、密度は１．２５％である。また、柱経１７μｍ、高さ２．５μｍの形状を持つ。
【００４４】
液晶セルのギャップを保つ役割を担うメインスペーサ２０の密度は、密度が高いと衝撃ムラ、低温発泡が発生、密度が低いと高温下膨れが発生するため、適切な密度にする必要がある。また、サブスペーサ２１の高さはメインスペーサ２０の高さ−０．５μｍとした。密度は表示領域Ｒ２は１．０％以上、表示領域Ｒ１領域は１．５％以上が良い。密度が低いと面押し強度が低下し、外部からの押圧によるギャップムラが発生する可能性がある。目安としてメインスペーサ２０とサブスペーサ２１の密度の和１．０％以上が良い。
【００４５】
＜作用および効果について＞
続いて、実施の形態１に係る液晶パネル１０において得られる作用および効果について詳細説明を行う。
【００４６】
図３に示した液晶パネル１０の製造工程で、シート類をガラス基板１１０、１２０の表面に貼付ローラー１６を用いて貼り付ける工程において、ローラー圧による液晶量の変動が大きい表示領域Ｒ１のサブスペーサ２１の密度を高くすることで、ローラー圧によるギャップ変動量を少なくし、また、サブスペーサ２１が多く存在することで液晶１４の移動を阻害する要因となり、表示領域Ｒ１内の液晶１４が表示領域Ｒ２に流れ込むのを防ぎ、液晶パネル１０の幅が小さくなる表示領域Ｒ２のシール材１３のシール破壊１７を防ぐことができる。
【００４７】
＜変形例＞
上述の実施の形態１において、液晶パネル１０の外形形状の例として、台形形状を挙げて説明したが、本発明においては、必ずしも外形が四角形である必要はなく、例えば図７に示したように、表示領域の主要部として矩形形状をした領域の左右に湾曲した外形をもつ半円形を付加した異形形状であってもよい。この場合は、中央主要部を表示領域Ｒ１とし、左右の半円形形状部を表示領域Ｒ２とし、上述したように表示領域Ｒ１では、表示領域Ｒ２と比べてサブスペーサ２１の密度の上げる配置をおこなう。
【００４８】
さらには、液晶パネル１０の外形形状の例として、表示領域の中央主要部が矩形形状で有る必要はなく、例えば楕円形状の中央主要部などのように、外形形状の上下間隔の変化が比較的少ない領域と、左右端部のように上下間隔の変化が比較的大きい領域に分けることができる異形形状においても、中央主要部を表示領域Ｒ１とし、左右の端部を表示領域Ｒ２とし、上述したように表示領域Ｒ１では、表示領域Ｒ２と比べてサブスペーサ２１の密度の上げる配置をおこなってもよい。
【００４９】
実施の形態２．
＜実施の形態２における液晶パネルの構成＞
図８は、本発明の実施の形態２に係る液晶パネル１０の構成の一例を示す概略図である。図８に示されたような台形形状の液晶パネル１０の表示領域は、便宜的に表示領域Ｒ１と、その左右に位置する表示領域Ｒ３、さらに表示領域Ｒ３に隣接し、表示領域端までを占める表示領域Ｒ２に分割することができる。表示領域Ｒ１は中央部の縦方向の画素数が一定の領域であり、その結果封止領域の上下の間隔が一定である。表示領域Ｒ２は画素数が表示領域中心から離れるに従って減少する領域であり、その結果封止領域の上下の間隔が表示中心から左または右方向に向かうと減少し、表示領域端を含む直角三角形の形状となる。また、表示領域Ｒ３は、縦方向の画素数が一定の領域と、表示領域中心から離れるに従って減少する領域を合併した領域であり、表示領域Ｒ１と表示領域Ｒ２の間に配置される。表示領域Ｒ１、Ｒ２、Ｒ３の画素ピッチは縦１３５μｍ×横１３５μｍと、三領域とも同一であり、ＲＧＢ縦ストライプ配置を採用している。
【００５０】
次に、表示領域Ｒ１、Ｒ２、Ｒ３におけるメインスペーサ２０とサブスペーサ２１とＲＧＢ画素との関係、それぞれの形状、密度について、図を用いて詳細を説明する。まず、メインスペーサ２０の配置は、表示領域Ｒ１、Ｒ２、Ｒ３において共通で、３２画素あたり１個の割合で、Ｒ画素に配置され、その密度は０．０３％である（図５参照）。また、柱径１５μｍ、高さ３．０μｍの形状を持つ。この仕様は、上述の実施の形態１と同一であり、詳細な説明は省略する。
【００５１】
同様に、表示領域Ｒ１とＲ２におけるサブスペーサ２１の密度、柱径と高さの形状なども上述の実施の形態１と同一であり、詳細な説明は省略する。
【００５２】
一方、表示領域Ｒ３においては、サブスペーサ２１は、メインスペーサ２０を配置したサブ画素を除くＲ画素とＢ画素とに配置され、柱経１７μｍ、高さ２．５μｍの形状を持つ。メインスペーサ２０の密度は１．２５％〜２．４５％間で、表示領域中心からの距離で変化する。具体的には、図９に破線で示した表示領域Ｒ１との境界から表示領域Ｒ２との境界にかけて密度を２．４５％から１．２５％へ減少するよう配置する。ここではＲ画素に配置するサブスペーサ２１の数を減らすことにより距離に比例して密度を漸減させている。
【００５３】
＜作用および効果について＞
図８に示したように液晶パネル１０の表示領域にＲ１とＲ２間にＲ３を設け、その領域Ｒ３のサブスペーサ２１の密度を表示領域中心からの距離で漸減させ、Ｒ１とＲ２間の階段状の密度の変化を均すことができる。それによって、実施の形態１の効果に加えて、ローラー圧によるギャップ変動量をさらに少なくし、液晶パネル１０の幅が小さくなる表示領域Ｒ２のシール材１３のシール破壊１７を防ぐことができる。
【００５４】
実施の形態３．
＜実施の形態３における液晶パネルの構成＞
本発明の実施の形態３に係る台形形状の液晶パネル１０の表示領域は、上述の実施の形態１と同様に、表示領域Ｒ１と、その左右に位置する表示領域Ｒ２に分割することができる（図１参照）。表示領域Ｒ１は中央部の縦方向の画素数が一定の領域であり、表示領域Ｒ２は画素数が表示領域中心から離れるに従って減少する領域であり、直角三角形の形状となる。また、表示領域Ｒ１とＲ２の画素ピッチは縦１３５μｍ×横１３５μｍと、両領域とも同一であり、ＲＧＢ縦ストライプ配置を採用している。
【００５５】
次に、表示領域Ｒ１、Ｒ２におけるメインスペーサ２０とサブスペーサ２１とＲＧＢ画素との関係、それぞれの形状、密度について詳細に説明する。まず、メインスペーサ２０の配置は、表示領域Ｒ１、Ｒ２において共通で、３２画素あたり１個の割合で、Ｒ画素に配置され、その密度は０．０３％である。また、柱径１５μｍ、高さ３．０μｍの形状を持つ。この仕様は、上述の実施の形態１と同一であり、詳細な説明は省略する。
【００５６】
本実施の形態３においては、Ｒ１とＲ２でサブスペーサ２１の密度は同一で、１．２５％である。サブスペーサ２１の密度はそれぞれ１．０%以上が良い。密度が低いと、面押し強度が低下し、外部からの押圧によるギャップムラが発生しやすい。目安としてメインとサブの密度の和１．０％以上が良い。
【００５７】
一方、本実施の形態では、サブスペーサ２１の高さはメインスペーサ２０の高さ−０．３μｍ、またはメインスペーサ２０の高さ−０．５μｍの２種類を表示領域によって使い分ける。具体的には表示領域Ｒ１にはメインスペーサ２０の高さ−０．３μｍのサブスペーサ２１を配置し、表示領域Ｒ２ではメインスペーサ２０の高さ−０．５μｍのサブスペーサ２１を配置する。
【００５８】
液晶パネル１０の製造工程で、シート類をガラス基板１１０，１２０の表面に貼付ローラー１６を用いて貼り付ける工程において、ローラー圧による液晶量の変動が大きい表示領域Ｒ１のサブスペーサ２１の高さを高くすることで、ローラー圧によるギャップ変動量を少なくし、また、サブスペーサ２１の高さを高くすることで液晶１４の移動を阻害する要因となり、表示領域Ｒ１内の液晶１４が表示領域Ｒ２に流れ込むのを防ぎ、液晶パネル１０の幅が小さくなる表示領域Ｒ２のシール材１３のシール破壊１７を防ぐことができる。
【００５９】
上述の実施の形態１〜３においては、液晶パネル内のセルギャップを一定に保つための柱状スペーサの高さ仕様や配置仕様（面積密度）を、表示領域内で、領域によって２種類あるいは３種類にする実施の形態を示したが、柱状スペーサの高さ仕様や配置仕様は、２種類あるいは３種類である必要はない。液晶パネルは、背面にバックライトが配置され、周囲をフレームで固定されて、さらに駆動回路基板などが実装されて液晶表示装置となる。この場合、液晶パネルに画像を表示した際に柱状スペーサの高さ仕様や配置仕様の変わり目が視認される可能性もある。柱状スペーサの高さ仕様や配置仕様の数をさらに増やして変わり目を視認されにくくすると良い。
【００６０】
また、上述の実施の形態１〜３においては、貼付ローラーの進行方向として、表示画面に対して水平方向になぞる例について示したが、表示画面に対して垂直方向になぞる場合にもこの発明を採用できることは無論である。この場合は、液晶パネルの表示画面に対して垂直方向かって液晶パネルの左右のシール材間の間隔が小さくなるような外形形状において有用である。このように、液晶パネルの表示領域を取り囲む液晶封止領域の上下方向（垂直方向）または水平方向（左右方向）の長さが一定でない場合は、封止領域を複数種類に分割し、その区域毎に柱状スペーサの高さ仕様または配置仕様を変えて、シール破壊を防ぐことができる。
【符号の説明】
【００６１】
１０  液晶パネル
１１  ＴＦＴアレイ基板（アレイ基板）
１２  カラーフィルタ基板（対向基板）
１３  シール材
１４  液晶材料
１５  偏光板
１６  貼付ローラー
１７  シール破壊
２０  メインスペーサ
２１  サブスペーサ
１１０、１２０  ガラス基板
１１１、１２１  配向膜
１１２  画素電極
１２３  共通電極
Ｒ１、Ｒ２、Ｒ３  表示領域
【図１】
2020204691.tif 000003
【図２】
2020204691.tif 000004
【図３】
2020204691.tif 000005
【図４】
2020204691.tif 000006
【図５】
2020204691.tif 000007
【図６】
2020204691.tif 000008
【図７】
2020204691.tif 000009
【図８】
2020204691.tif 000010
【図９】
2020204691.tif 000011